(57)【要約】【課題】少ない部品で下枠の入水孔と排水孔の両方を火災発生時に塞ぐことのでき、下枠内を貫通する火炎の侵入も防止することのできるサッシを提供する。【解決手段】枠体１の下枠１１は、障子４，５の下辺と対向する上面１１ｂと、室外側に面する室外側面１１ｃとを有すると共に、上面１１ｂ及び室外側面１１ｃに囲まれた中空部３２を有し、上面１１ｂには入水孔３３が形成され、室外側面１１ｃには排水孔３４が形成され、中空部３２には、入水孔３３と対向する入水孔対向面部３５ｃと、排水孔３４と対向する排水孔対向面部３５ｂとを有した取付部品３５が設けられ、取付部品３５の入水孔対向面部３５ｃと排水孔対向面部３５ｂにはそれぞれ加熱発泡材３６，３７が設けられる。【選択図】図３
2014077325.tif 000002
【特許請求の範囲】
【請求項１】
上枠と下枠及び左右の縦枠を枠組みしてなる枠体内に障子を納めてなるサッシにおいて、
前記下枠は前記障子の下辺と対向する上面と、室外側に面する室外側面とを有すると共に、前記上面及び室外側面に囲まれた中空部を有し、前記上面には入水孔が形成され、前記室外側面には排水孔が形成され、
前記中空部には、前記入水孔と対向する入水孔対向面部と、前記排水孔と対向する排水孔対向面部とを有した取付部品が設けられ、該取付部品の入水孔対向面部と排水孔対向面部にはそれぞれ加熱発泡材が設けられることを特徴とするサッシ。
【請求項２】
前記障子は内障子と外障子とが引き違い状に設けられ、前記下枠は前記内障子を案内する内レールと前記外障子を案内する外レールとを有し、前記入水孔は前記内レールと外レールの間の領域に形成され、前記取付部品は前記中空部を形成する前記下枠の上面のうち前記外レールの直下部に当接される固定面部を有することを特徴とする請求項１記載のサッシ。
【発明の詳細な説明】
【技術分野】
【０００１】
本発明は、建物開口部に設けられる枠体内に障子を納めてなるサッシに関し、特に枠体を構成する下枠上面に入水孔を有し下枠室外側面に排水孔を有した排水構造を備えながら防火性能を向上させたサッシに関する。
【背景技術】
【０００２】
建物開口部に設けられる枠体内に障子を納めてなるサッシには、室内側に浸入した水を室外側に排水するための排水構造が設けられる。排水構造としては、枠体を構成する下枠の上面に入水孔を形成して、室内側に浸入した水を下枠の中空内部に導くようにし、さらに下枠の室外側面に排水孔を形成して、中空内部に導かれた水を室外側に排水するものが一般的である。
【０００３】
かかる排水構造を有するサッシにおいて、火災発生時の防火性能を高くすることが求められている。火災発生時の防火性能を高くするためには、サッシが高温に晒されても室内外に隙間を生じさせないようにする必要がある。したがって、サッシが高温に晒された際に、排水構造を構成する入水孔及び排水孔を塞ぐことが必要となる。
【０００４】
従来は、入水孔の近傍及び排水孔の近傍に、それぞれ金属製の部品を設け、これらの部品にそれぞれ加熱発泡材を設け、火災発生時には加熱発泡材により入水孔及び排水孔を塞ぐことにより、防火性能を高くしようとしていた。このようなサッシとしては、例えば特許文献１に挙げるようなものがある。
【先行技術文献】
【特許文献】
【０００５】
【特許文献１】特開２０１２−１２２３０３号公報
【発明の概要】
【発明が解決しようとする課題】
【０００６】
しかし、従来の排水構造を備えたサッシにおいては、入水孔の近傍と排水孔の近傍にそれぞれ加熱発泡材を固定するための部品を設けていたため、部品点数が増加しコストアップを招く要因となっていた。また、室外側で火災があった場合に、排水孔から下枠の中空部を経て入水孔から火炎が侵入する可能性があるが、これを効果的に防止する必要もあった。
【０００７】
本発明は前記課題を鑑みてなされたものであり、少ない部品で下枠の入水孔と排水孔の両方を火災発生時に塞ぐことのでき、下枠内を貫通する火炎の侵入も防止することのできるサッシを提供することを目的とする。
【課題を解決するための手段】
【０００８】
前記課題を解決するため、請求項１の発明に係るサッシは、上枠と下枠及び左右の縦枠を枠組みしてなる枠体内に障子を納めてなるサッシにおいて、
前記下枠は前記障子の下辺と対向する上面と、室外側に面する室外側面とを有すると共に、前記上面及び室外側面に囲まれた中空部を有し、前記上面には入水孔が形成され、前記室外側面には排水孔が形成され、
前記中空部には、前記入水孔と対向する入水孔対向面部と、前記排水孔と対向する排水孔対向面部とを有した取付部品が設けられ、該取付部品の入水孔対向面部と排水孔対向面部にはそれぞれ加熱発泡材が設けられることを特徴として構成されている。
【０００９】
請求項１に係る発明によれば、１つの部品で火災発生時に下枠の入水孔を塞ぐ加熱発泡材と下枠の排水孔を塞ぐ加熱発泡材とを保持でき、また、下枠内を貫通する火炎を排水孔対向面部で遮断することができる。
【００１０】
また、請求項２の発明に係るサッシは、前記障子は内障子と外障子とが引き違い状に設けられ、前記下枠は前記内障子を案内する内レールと前記外障子を案内する外レールとを有し、前記入水孔は前記内レールと外レールの間の領域に形成され、前記取付部品は前記中空部を形成する前記下枠の上面のうち前記外レールの直下部に当接される固定面部を有することを特徴として構成されている。
【００１１】
請求項２に係る発明によれば、取付部品を下枠に対し容易に固定できると共に、下枠の荷重に対する強度も向上させることができる。
【発明の効果】
【００１２】
本発明に係るサッシによれば、少ない部品で下枠の入水孔と排水孔の両方を火災発生時に塞ぐことのでき、下枠内を貫通する火炎の侵入も防止することができて、防火性能を向上させることができる。
【図面の簡単な説明】
【００１３】
【図１】本実施形態におけるサッシの縦断面図である。
【図２】本実施形態におけるサッシの横断面図である。
【図３】図１のうち下枠付近の拡大図である。
【図４】加熱発泡材を保持した取付部品の正面図である。
【図５】火災発生時の状態における下枠付近の拡大図である。
【発明を実施するための形態】
【００１４】
本発明の実施形態について図面に沿って詳細に説明する。図１には本実施形態におけるサッシの縦断面図を、図２には本実施形態におけるサッシの横断面図を、それぞれ示している。これら各図に示すように、本実施形態のサッシは、上枠１０と下枠１１及び左右の縦枠１２，１２を方形状に枠組みしてなる枠体１内に内障子４と外障子５を引き違い状に納め、上枠１０には収納部２を設けて扉体３を収納すると共に、扉体３を引き出し自在としたシャッター付サッシとして構成されている。
【００１５】
内障子４と外障子５は、それぞれ上框４０と下框４１及び左右の縦框４２，４２を方形状に框組みしてなる框体６内に、ガラス板からなるパネル体７を納めて構成されている。枠体１を構成する下枠１１には、内障子４を長手方向に案内する内レール部３０と、外障子５を長手方向に案内する外レール部３１とが形成されている。また、枠体１を構成する上枠１０には、内障子４の上辺を長手方向に案内する上内レール部１０ａと、外障子５の上辺を長手方向に案内する上外レール部１０ｂとが形成されている。
【００１６】
上枠１０に設けられた収納部２は、扉体３を巻き上げ自在に保持する巻き取り軸２０を内部に備え、下辺には扉体３を挿通させる開口部２１を備えている。扉体３は、縦方向に複数のスラット２２が連結されてなり、下端部には扉体３の略全幅に渡る幅木部材２３が設けられている。縦枠１２の室外側には、扉体３の両端部を案内するガイドレール部材１３が設けられている。
【００１７】
図２に示すように、内レール部３０の外障子５が配置される側の端部には、樹脂製のストッパ部材１４が配置される。ストッパ部材１４は、内障子２を開いた際に縦枠１２と直接衝突するのを防止する機能を有している。下枠１１の上面には、ストッパ部材１４の室外側に入水孔３３が形成されている。
【００１８】
図３には、図１のうち下枠１１付近の拡大図を示している。下枠１１の室外側部には、幅木部材２３を納めることができる凹状の溝部１１ａが形成されている。幅木部材２３を枠体１の下端部に配置することで、幅木部材２３が溝部１１ａに納められる
【００１９】
下枠１１の溝部１１ａより室内側には、中空部３２が形成されている。内レール部３０と外レール部３１は、いずれも中空部３２を構成する上面１１ｂに形成されている。下枠１１の上面１１ｂに形成される入水孔３３は、内レール部３０と外レール部３１の間の領域に配置されている。また、中空部３２を構成する室外側面１１ｃの下端部には、入水孔３３から中空部３２内に導かれた水を室外側に排水する排水孔３４が形成されている。
【００２０】
中空部３２内には、加熱発泡材３６，３７を保持した取付部品３５が固定されている。取付部品３５は、金属製の部材からなり、中空部３２の底面に当接する底壁部３５ａと、底壁部３５ａから立ち上がり排水孔３４と対向する排水孔対向面部３５ｂと、排水孔対向面部３５ｂの上端部から室内側に向かって伸び入水孔３３と対向する入水孔対向面部３５ｃとを有している。排水孔対向面部３５ｂには加熱発泡材３６がリベット止め固定され、入水孔対向面部３５ｃには加熱発泡材３７がリベット止め固定されている。
【００２１】
加熱発泡材３６，３７は、それぞれシート状に形成されてなり、火災発生時に所定以上の温度に加熱されると、発泡して面方向に向かって体積が増加するものである。排水孔対向面部３５ｂに固定されている加熱発泡材３６は、２枚重ねとなっている。また、入水孔対向面部３５ｃに固定されている加熱発泡材３７は、４枚重ねとなっている。このように複数枚の加熱発泡材３６，３７を重ねて配置することで、加熱発泡材３６，３７が面する方向により大きく体積を増加させることができる。
【００２２】
図４には、加熱発泡材３６，３７を保持した取付部品３５の正面図を示している。この図に示すように、入水孔対向面部３５ｃは、排水孔対向面部３５ｂの幅方向略半分に渡って形成されており、排水孔対向面部３５ｂの残り半分の部分は、さらに上方に伸びて上端部が室内側に伸びた固定面部３５ｄとなっている。排水孔対向面部３５ｂに固定される加熱発泡材３６は、排水孔対向面部３５ｂの略全幅に渡って設けられる。図３に示すように、取付部品３５の固定面部３５ｄは、中空部３２を形成する下枠１１の上面１１ｂのうち、外レール部３１の直下部に当接し、ネジ止め固定されている。
【００２３】
図５には、火災発生時の状態における下枠１１付近の拡大図を示している。火災が発生してサッシが高温に晒されると、金属製の下枠１１及び取付部品３５も高温になる。その熱によって加熱発泡材３６，３７がそれぞれ発泡する。排水孔対向面部３５ｂに固定された加熱発泡材３６は、下枠１１の排水孔３４と対向しているから、中空部３２内において排水孔３４に向かって伸び、最終的には排水孔３４を塞ぐことができる。一方、入水孔対向面部３５ｃに固定された加熱発泡材３７は、下枠１１の入水孔３３と対向しているから、中空部３２内において入水孔３３に向かって伸び、最終的には入水孔３３を塞ぐことができる。
【００２４】
このように、排水孔対向面部３５ｂに固定された加熱発泡材３６で排水孔３４を塞ぎ、入水孔対向面部３５ｃに固定された加熱発泡材３７で入水孔３３を塞ぐことで、中空部３２を通じて室内側と室外側とが連通しないようにすることができ、火災発生時におけるサッシの防火性能を向上させることができる。
【００２５】
加熱発泡材３６，３７は、１つの部品である取付部品３５に固定されて、それぞれ入水孔３３と排水孔３４を塞ぐことができるので、少ない部品で下枠１１の中空部３２を介した室内外の連通を塞ぐことができる。
【００２６】
また、排水孔対向面部３５ｂに固定された加熱発泡材３６は、排水孔３４からの距離があるので、火災が発生した場合に、排水孔３４が塞がれるまで一定の時間が必要となる。室外側で火災が発生した場合には、排水孔３４が塞がれる前に火炎が中空部３２内に侵入する可能性がある。しかし、取付部品３５の排水孔対向面部３５ｂによって、火炎は遮断され、入水孔３３側に火炎を侵入させないようにすることができる。これにより、火炎が中空部３２を介し室外側から室内側に貫通することを防止することができる。
【００２７】
以上、本発明の実施形態について説明したが、本発明の適用は本実施形態には限られず、その技術的思想の範囲内において様々に適用されうるものである。本実施形態のサッシは、シャッター付サッシであるが、シャッターを有しない通常のサッシであっても本発明を適用できる。また、引き違いサッシ以外の種類のサッシであっても、下枠に中空部が形成され、中空部に入水孔と排水孔を有するものであれば、本発明を適用することができる。
【符号の説明】
【００２８】
１    枠体
２    収納部
３    扉体
４    内障子
５    外障子
６    框体
７    パネル体
１０    上枠
１１    下枠
１２    縦枠
１３    ガイドレール部材
１４    ストッパ部材
２０    巻き取り軸
２１    開口部
２２    スラット
２３    幅木部材
３０    内レール部
３１    外レール部
３２    中空部
３３    入水孔
３４    排水孔
３５    取付部品
３５ａ  底壁部
３５ｂ  排水孔対向面部
３５ｃ  入水孔対向面部
３５ｄ  固定面部
３６    加熱発泡材
３７    加熱発泡材
【図１】
2014077325.tif 000003
【図２】
2014077325.tif 000004
【図３】
2014077325.tif 000005
【図４】
2014077325.tif 000006
【図５】
2014077325.tif 000007